(57)【要約】      （修正有）【課題】複数の筒状容器を冷蔵庫内等に場所をとらずに保管をすることができ、複数の筒状容器を容易に運ぶことができる筒状容器の接合部構造を提供する。【解決手段】容器本体１１の高さ方向上端部に上方へ突出する飲み口部１２を有する筒状容器の接合部構造である。飲み口部１２の下端部には接合部１３が飲み口部１２とは別体に設けられている一方、容器本体１１の下端部には飲み口部１２が挿入配置されると共に接合部１３が接合する被接合部１４が設けられている。飲み口部１２は全体円筒状に形成され、接合部１３は飲み口部１２よりも径大に形成されており、被接合部１４は全体円筒状空隙部として形成され、飲み口部１２を受け入れうる挿入凹部と、挿入凹部の下端部に設けられた被接合部１４とにより構成されている。接合部１３及び被接合部１４は相互に歯合するネジにより形成されている。【選択図】図１
0003190060.tif 000002
【実用新案登録請求の範囲】
【請求項１】
容器本体の高さ方向上端部に上方へ突出する飲み口部を有する筒状容器の接合部構造であって、上記飲み口部の下端部には接合部が飲み口部とは別体に設けられている一方、容器本体の下端部には上記飲み口部が挿入配置されると共に上記接合部が接合する被接合部が設けられていることを特徴とする筒状容器の接合部構造。
【請求項２】
上記飲み口部は全体円筒状に形成され、上記接合部は上記飲み口部よりも径大に形成されていることを特徴とする請求項１記載の筒状容器の接合部構造。
【請求項３】
上記被接合部は全体円筒状空隙部として形成され、上記飲み口部を受け入れうる挿入凹部と、上記挿入凹部の下端部に設けられた被接合部とにより構成されていることを特徴とする請求項１記載の筒状容器の接合部構造。
【請求項４】
上記接合部及び被接合部は相互に歯合するネジにより形成されていることを特徴とする請求項１、２又は３記載の筒状容器の接合部構造。
【請求項５】
上記容器本体は合成樹脂により形成されていることを特徴とする請求項１、２、３又は４のいずれか１項に記載の筒状容器の接合部構造。
【請求項６】
上記容器は金属製であることを特徴とする請求項１、２、３又は４記載の筒状容器の接合部構造。
【考案の詳細な説明】
【技術分野】
【０００１】
本考案は、筒状容器の接合部構造の改良に関するものである。
【背景技術】
【０００２】
従来より、ペットボトルや金属製の缶などの筒状容器のうち、他の筒状容器と接合可能な筒状容器が存在する。これらの筒状容器の中には、幅方向に接合するものや、高さ方向に接合するものが存在する。
【０００３】
筒状容器を幅方向に接合することにより、保存において必要な床面積が少なくてすみ、廃棄までの期間家庭において保存するのが容易になり、あるいは、内部に飲料水を収容した状態で販売のために運搬する場合に便利である（特許文献１参照）。
【０００４】
一方、複数の筒状容器を高さ方向に連結することにより、冷蔵庫等の限られたスペース内での保管がし易く、又、携帯にも便利にする考案が提案されている（特許文献２参照）。
特許文献２に係る考案において、複数の筒状容器を高さ方向に連結する方法としては、ボトル本体の首部に螺着されたキャップの外側にネジが形成されており、ボトル本体の底部に設けられた凹部内に形成されたネジ溝と螺合することによって、複数のボトルが連結されるものである。（特許文献２参照）。
【０００５】
しかしながら、キャップの外側面部にネジを形成する場合は、結合された筒状容器を分離する際に、筒状容器本体の回す方向を誤ることによって、キャップが外れてしまうという不具合があった。
また、キャップの外側面部のネジが形成されていた場合には、筒状容器の内容物を飲むためにキャップを開ける際にネジ部分を指で把持しなければならず、開けにくく使いにくいという不具合があった。
【特許文献１】実用新案登録第３０４６０７４号
【特許文献２】実開平６−２７５２２号
【考案の開示】
【考案が解決しようとする課題】
【０００６】
本考案は、以上のような従来の問題点に鑑みなされたものであって、その課題は、複数の筒状容器を冷蔵庫内等に場所をとらずに保管をすることができ、また、複数の筒状容器を容易に運ぶことができ、さらに、接合された筒状容器を分離する際に、誤って飲み口部に螺着されているキャップを外してしまうということが生じることがなく、キャップを開けやすい筒状容器を提供することである。
【課題を解決するための手段】
【０００７】
上記課題解決のため請求項１に係る筒状容器の接合部構造にあっては、容器本体の高さ方向上端部に上方へ突出する飲み口部を有する筒状容器の接合部構造であって、上記飲み口部の下端部には接合部が飲み口部とは別体に設けられている一方、容器本体の下端部には上記飲み口部が挿入配置されると共に上記接合部が接合する被接合部が設けられていることを特徴とする。
【０００８】
請求項２記載の筒状容器の接合部構造にあっては、上記飲み口部は全体円筒状に形成され、上記接合部は上記飲み口よりも径大に形成されていることを特徴とする
【０００９】
請求項３記載の筒状容器の接合部構造にあっては、上記被接合部は全体円筒状空隙部として形成され、上記飲み口部を受け入れうる挿入凹部と、上記挿入凹部の下端部に設けられた被接合部とにより構成されていることを特徴とする。
【００１０】
請求項４記載の筒状容器の接合部構造にあっては、上記接合部及び被接合部は相互に歯合するネジにより形成されていることを特徴とする。
【００１１】
請求項５記載の筒状容器の接合部構造にあっては、上記容器本体は合成樹脂により形成されていることを特徴とする。
【００１２】
請求項６記載の筒状容器の接合部構造にあっては、上記容器は金属製であることを特徴とする。
【考案の効果】
【００１３】
請求項１に記載の考案に係る筒状容器の接合部構造にあっては、容器本体の高さ方向上端部に上方へ突出する飲み口部を有する筒状容器の接合部構造であって、上記飲み口部の下端部には接合部が飲み口部とは別体に設けられている一方、容器本体の下端部には上記飲み口部が挿入配置されると共に上記接合部が接合する被接合部が設けられている。
この結果、接合部が飲み口部とは別体に設けられており、キャップとしての飲み口部と被接合部とは接触しないため、結合された筒状容器を分離する際に、従来のように誤ってキャップを外してしまうということが生ずることを回避することができる。
また、接合部が飲み口部とは別体に設けられていることから、キャップの外側面部にはネジが形成されていない。このため、キャップの外側面部にネジが形成されていた場合とは異なり、筒状容器の内容物を飲むためにキャップを開ける際にネジ部分を指で把持するという事態を回避することができ、開けやすく使いやすい。
【００１４】
請求項２乃至４記載の考案に係る筒状容器の接合部構造にあっては、上記飲み口部は全体円筒状に形成され、上記接合部は上記飲み口部よりも径大に形成されている。
そして、上記被接合部は全体円筒状空隙部として形成され、上記飲み口部を受け入れうる挿入凹部と、上記挿入凹部の下端部に設けられた被接合部とにより構成されている。さらに、上記接合部及び被接合部は相互に歯合するネジにより形成されている。
筒状容器の飲み口部に螺着されたキャップの外側にネジが形成されている場合には、結合された筒状容器を分離する際に、筒状容器本体の回す方向を誤ることによってキャップが外れてしまうという不具合が生ずる。
しかしながら、上記接合部は上記飲み口よりも径大に形成されていることから、上記接合部及び被接合部に形成されたネジを回す際には、キャップとしての飲み口部と被接合部には接触部分がないため、キャップとしての飲み口部は固定されたままの状態であり、従来のように誤ってキャップを外してしまうということが生ずることを回避することができる。
【図面の簡単な説明】
【００１５】
【図１】本考案の一実施の形態に係る筒状容器の接合部構造の側面図である。
【考案を実施するための最良の形態】
【００１６】
以下、本考案の実施の形態に係る筒状容器の接合部構造を、図面を参照して詳細に説明する。
【００１７】
図１に示すように、本実施の形態に係る筒状容器１０の接合部構造は、容器本体１１の高さ方向上端部に上方へ突出する飲み口部１２を有する筒状容器の接合部構造であって、上記飲み口部１２の下端部には接合部１３が飲み口部１２とは別体に設けられている一方、容器本体１１の下端部には上記飲み口部１２が挿入配置されると共に上記接合部１３が接合する被接合部１４が設けられている。
【００１８】
本実施の形態においては、筒状容器１０は円筒状に形成され、上記飲み口部１２も全体円筒状に形成されており、上記接合部１３は上記飲み口部１２よりも径大に形成されている。
【００１９】
上記被接合部１４は全体円筒状空隙部として形成され、上記飲み口部１２を受け入れうる挿入凹部と、上記挿入凹部の下端部に設けられた被接合部１４とにより構成されている。
【００２０】
上記接合部１３及び被接合部１４は相互に歯合するネジにより形成されている。本実施の形態においては、上記容器本体１１はＰＥＴ等の合成樹脂により形成されている。
【００２１】
本実施の形態に係る筒状容器１０の接合部構造にあっては、上記被接合部の内径Ｌは上記飲み口部の外径Ｌ１よりも大きく、上記接合部の外径Ｌ２は、上記被接合部の内径Ｌに等しい。これより、上記接合部１３及び被接合部１４を相互に歯合するネジにより接合することで、複数の筒状容器１０を高さ方向に連結することができる。
このため、複数の筒状容器１０を冷蔵庫内等に場所をとらずに保管をすることができ、また、複数の筒状容器１０を容易に運ぶことができる。
【００２２】
本実施の形態に係る筒状容器１０の接合部構造にあっては、飲み口部１２の下端部には接合部１３が飲み口部１２とは別体に設けられており、上記接合部１３は上記飲み口部１２よりも径大に形成されていることから、上記接合部１３及び被接合部１４に形成されたネジを回す際には、キャップとしての飲み口部１２と被接合部１４には接触部分がないため、キャップとしての飲み口部１２は固定されたままの状態であり、従来のように誤ってキャップを外してしまうということが生ずることを回避することができる。
【００２３】
また、飲み口部１２の下端部には接合部１３が飲み口部１２とは別体に設けられており、キャップの外側面部にはネジは形成されていないので、キャップの外側面部にネジが形成されていた場合とは異なり、筒状容器１０の内容物を飲むためにキャップを開ける際にネジ部分を指で把持するという事態を回避することができ、開けやすく使いやすい。
【００２４】
本実施の形態にあっては、上記容器１１は金属製であってもよい。
【産業上の利用可能性】
【００２５】
本考案は、広く筒状容器の接合部構造に提供することができるため、産業上の利用可能性を有している。
【符号の説明】
【００２６】
１０      筒状容器
１１      容器本体
１２      飲み口部
１３      接合部
１４      被接合部
Ｌ        被接合部の内径
Ｌ１      飲み口部の外径
Ｌ２      接合部の外径
【図１】
0003190060.tif 000003